(57)【要約】      （修正有）【課題】車両後退する際の後方確認時の視認性を確保し、車両の後退があった場合でも、後部座席の乗員が映像を実効的に継続して楽しめる。【解決手段】制御部４０は、車両の後退が検出されている期間中、車載用表示装置におけるテレビ受信信号に対応する画像の表示を禁止するとともに、車両の後退開始をトリガとして記録部４２に記録を開始させ、車両の後退が検出されなくなると、記録部４２に記録したテレビ受信信号に基づいて車載用表示装置１２に画像を表示させる。【選択図】図２
2007237850.tif 000002
【特許請求の範囲】
【請求項１】
テレビ受信信号が入力され、テレビ放送に対応する画像を表示する車載用表示装置を制御する表示制御装置であって、
前記テレビ受信信号の記録を行う記録部と、
前記車両の後退が検出されている期間中、前記テレビ受信信号に対応する画像の表示を禁止するとともに、前記車両の後退開始をトリガとして前記記録部に前記記録を開始させる制御部と、
を備えたことを特徴とする表示制御装置。
【請求項２】
請求項１記載の表示制御装置において、
前記制御部は、前記車両の後退が検出されなくなると、前記記録部に記録した前記テレビ受信信号に基づいて前記車載用表示装置に画像を表示させることを特徴とする表示制御装置。
【請求項３】
請求項１記載の表示制御装置において、
前記制御部は、前記記録部に記録した前記テレビ受信信号に基づいて前記車載用表示装置に画像を表示している最中に前記車両の後退が検出された場合には、当該画像の表示を再び禁止することを特徴とする表示制御装置。
【請求項４】
請求項１ないし請求項３のいずれかに記載の表示制御装置において、
前記車両の周囲の明るさを判別する明るさ判別部を備え、
前記制御部は、前記車両の周囲の明るさが所定の明るさよりも暗いと判別された場合に、前記表示の禁止および前記記録部の記録を開始させること、
を特徴とする表示制御装置。
【請求項５】
入力されたテレビ受信信号の記録を行う記録部を備え、前記テレビ受信信号に基づいてテレビ放送に対応する画像を表示する車載用表示装置を制御する表示制御装置の制御方法であって、
前記車両の後退を検出する後退検出過程と、
前記車両の後退が検出されている期間中、前記テレビ受信信号に対応する画像の表示を禁止する表示禁止過程と、
前記車両の後退開始をトリガとして前記記録部に前記記録を開始させる記録開始過程と、
を備えたことを特徴とする表示制御装置の制御方法。
【請求項６】
車両の後退信号およびテレビ受信信号が入力されるとともに、前記テレビ受信信号の記録を行う記録部を備え、前記テレビ受信信号に基づいてテレビ放送に対応する画像を表示する車載用表示装置を制御する表示制御装置をコンピュータにより制御するための制御プログラムであって、
前記車両の後退を検出させ、
前記車両の後退が検出されている期間中、前記テレビ受信信号に対応する画像の表示を禁止させ、
前記車両の後退開始をトリガとして前記記録部に前記記録を開始させる、
ことを特徴とする制御プログラム。
【発明の詳細な説明】
【技術分野】
【０００１】
本発明は、車載用表示装置の表示制御を行う表示制御装置、表示制御装置の制御方法および制御プログラムに係り、特に受信したテレビ放送を記録可能な画像記録装置を有する車載用表示装置の表示制御技術に関する。
【背景技術】
【０００２】
近年、車内に前部座席用のモニタに加えて、後部座席用のモニタも設け、後部座席の乗員も車内で映像を楽しめるようにしたリアエンターテイメントシステムが普及し始めている。このようなリアエンターテイメントシステムでは、後部座席の乗員が視認する後部座席用のモニタには、テレビチューナ、車載のＤＶＤ（Digital Versatile Disk）再生装置またはゲーム機から与えられる映像等を表示させることが行われている。
【０００３】
上記のような、リアエンターテイメントシステムにおいて、夜間等、車両の周囲が暗い状況では、昼間に比してモニタの輝度を低下させている。これにより、モニタ表示の際の明かりにより車外より車内が明るくなりすぎて車外の視認性が低下することを防止している。また、夜間等における車両後退時に、後部座席用のモニタの表示を停止させて、輝度を更に低下させて、後部座席用のモニタに表示された映像等が後部座席側のガラスに映り込むのを防止して、後方確認の妨げとならないようにすることが行われている（例えば、特許文献１参照）。
【特許文献１】特開２００３−３２７０４４号公報
【発明の開示】
【発明が解決しようとする課題】
【０００４】
しかしながら、後部座席の乗員は、運転の状況によらず、後部座席用のモニタに表示される映像等に集中している場合があるので、後部座席用のモニタの表示が停止し、輝度が急激に落ちると、違和感を生じさせることになっていた。特に、テレビ放送を表示させていた場合には、モニタの表示が突然停止すると、その間の映像を楽しむことができず、後部座席の視聴者にとっては不満が生じる結果となっていた。
【０００５】
本発明の課題は、車両が後退する際に後方確認における視認性を確保するとともに、車両の後退があった場合でも、後部座席の乗員が映像を実効的に継続して楽しむことができる車載用表示装置、これを制御する表示制御装置、表示制御方法および制御プログラムを提供することにある。
【課題を解決するための手段】
【０００６】
上記課題を解決するため、テレビ受信信号が入力され、テレビ放送に対応する画像を表示する車載用表示装置を制御する表示制御装置であって、前記テレビ受信信号の記録を行う記録部と、前記車両の後退が検出されている期間中、前記テレビ受信信号に対応する画像の表示を禁止するとともに、前記車両の後退開始をトリガとして前記記録部に前記記録を開始させる制御部と、を備えたことを特徴としている。
上記構成によれば、制御部は、車両の後退が検出されている期間中、車載用表示装置におけるテレビ受信信号に対応する画像の表示を禁止するとともに、車両の後退開始をトリガとして記録部に前記記録を開始させる。
【０００７】
この場合において、前記制御部は、前記車両の後退が検出されなくなると、前記記録部に記録した前記テレビ受信信号に基づいて前記車載用表示装置に画像を表示させるようにしてもよい。
また、前記制御部は、前記記録部に記録した前記テレビ受信信号に基づいて前記車載用表示装置に画像を表示している最中に前記車両の後退が検出された場合には、当該画像の表示を再び禁止するようにしてもよい。
さらに、前記車両の周囲の明るさを判別する明るさ判別部を備え、前記制御部は、前記車両の周囲の明るさが所定の明るさよりも暗いと判別された場合に、前記表示の禁止および前記記録部の記録を開始させるようにしてもよい。
【０００８】
また、入力されたテレビ受信信号の記録を行う記録部を備え、前記テレビ受信信号に基づいてテレビ放送に対応する画像を表示する車載用表示装置を制御する表示制御装置の制御方法であって、前記車両の後退を検出する後退検出過程と、前記車両の後退が検出されている期間中、前記テレビ受信信号に対応する画像の表示を禁止する表示禁止過程と、前記車両の後退開始をトリガとして前記記録部に前記記録を開始させる記録開始過程と、を備えたことを特徴としている。
【０００９】
また、車両の後退信号およびテレビ受信信号が入力されるとともに、前記テレビ受信信号の記録を行う記録部を備え、前記テレビ受信信号に基づいてテレビ放送に対応する画像を表示する車載用表示装置を制御する表示制御装置をコンピュータにより制御するための制御プログラムであって、前記車両の後退を検出させ、前記車両の後退が検出されている期間中、前記テレビ受信信号に対応する画像の表示を禁止させ、前記車両の後退開始をトリガとして前記記録部に前記記録を開始させる、ことを特徴としている。
【発明の効果】
【００１０】
本発明によれば、車両が後退する際に後方確認における視認性を確保するとともに、車両の後退があった場合でも、後部座席の乗員が映像を実効的に継続して楽しむことができる。
【発明を実施するための最良の形態】
【００１１】
次に、本発明の好適な実施の形態について、図面を参照して説明する。
図１は、車載映像表示システムの概要構成図である。
車載映像表示システム１は、図１に示すように、複数の表示装置１１、１２を備えて構成される。本実施の形態では、車両１００の前部座席１０１側に配置されるフロントシート用表示装置１１と後部座席１０２側に配置されるリアシート用表示装置１２とが設けられている。
フロントシート用表示装置１１は、例えば、コンソール、フロントパネル等に配置されるもので、主に運転席や助手席の前部座席１０１の乗員が視認するものである。一方、リアシート用表示装置１２は、車室内の天井部から支持具を介して吊り下げられて配置されたり、フロントシートのシートバック部、ヘッドレスト背面等に配置されるもので、後部座席１０２の乗員が主に視認するものである。
また、車室内には、ドア部などにスピーカ２１が配設され、それぞれの表示装置１１、１２に表示される映像とともに音声を楽しむことができるようになっており、必要に応じて音声はヘッドフォン２２を通して聞くこともできるようになっている。
【００１２】
図２は、車載映像表示システムの機能構成ブロック図である。
車載映像表示システム１は、上記フロントシート用表示装置１１およびリアシート用表示装置１２、スピーカ２１、ヘッドフォン２２等を備える音声ユニット２０の他に、テレビチューナ３１と、ディスク再生装置３２とナビゲーション装置３３と、ラジオチューナ３４と、操作ユニット３５と、表示制御装置４０とを備えている。
本実施の形態の車載映像表示システム１では、表示制御装置４０により、両表示装置１１、１２に表示される画像の大きさ等を制御して、主として車両１００の後部座席１０２側のガラスへの画像の映り込みによる運転者の後方確認時の車外の視認性に対する影響を低減している。
テレビチューナ３１は、アンテナ３１ａ等を備え、アンテナ３１ａを介して受信したテレビ放送電波から映像信号および音声信号等を取得して、表示制御装置４０に出力する。
ディスク再生装置３２は、ＤＶＤ（Digital Versatile Disk）プレーヤー、ハードディスク装置等の、各種記録媒体に記録された画像信号および音声信号等を読み出して表示制御装置４０に出力する。
ナビゲーション装置３３は、ＧＰＳ（Global Positioning System）アンテナ３３ａ等を備え、ＧＰＳアンテナ３３ａを介して受信したＧＰＳ電波に基づいて検出した車両１００の現在位置に基づき、目的地までの経路案内を行う装置であり、経路案内に伴う地図情報等の画像信号および音声信号を表示制御装置４０に出力する。
【００１３】
ラジオチューナ３４は、アンテナ３４ａ等を備え、アンテナ３４ａを介して受信したラジオ放送電波から音声信号等を取得して、表示制御装置４０を介して音声ユニット２０に出力する。
操作ユニット３５は、ユーザからの各種操作を受け付けるもので、フロントシート用表示装置１１およびリアシート用表示装置１２に表示させる画像信号源として、テレビチューナ３１、ディスク再生装置３２、ナビゲーション装置３３のいずれかを選択するための操作ボタン、あるいは音声信号源としてのラジオチューナ３４を選択するための操作子、表示装置１１、１２に画像を表示させる際の輝度を指定するための操作子等の各種操作子を有している。
音声ユニット２０は、上記スピーカ２１、リアシート用のヘッドフォン２２の他、増幅器２３を備えている。表示制御装置４０から出力される各種音声信号源（テレビチューナ３１、ディスク再生装置３２、ナビゲーション装置３３、ラジオチューナ３４）の音声信号を増幅器２３により増幅してスピーカ２１から出力させ、リアシート用のヘッドフォン２２から出力させる。
【００１４】
フロントシート用表示装置１１およびリアシート用表示装置１２はそれぞれ液晶ディスプレイ等から構成され、フロントシート用表示装置１１およびリアシート用表示装置１２に同一の画像を表示させることができる。また、フロントシート用表示装置１１に、ナビゲーション装置３３から出力される目的地までの経路案内のための画像を表示させ、リアシート用表示装置１２には、テレビチューナ３１またはディスク再生装置３２から出力されるテレビ放送またはＤＶＤ等に記録された映画等の画像を表示させることもできる。
表示制御装置４０は、図２に示すように、制御部４１と、記録部４２と、音声信号選択部４３と、映像信号選択部４４と、画像処理部４５、４６（信号処理部）とを備え、上記の各表示装置１１、１２に画像を表示させる際に、操作ユニット３５を介してユーザから指定された画像信号源から出力される画像信号に対応する画像を表示させるとともに、画像信号に対応する画像を表示させる領域を制御したり、画像信号に対応する画像を表示させる位置を制御する等、表示装置１１、１２の表示に関する各種制御を行う装置である。
制御部４１は、図示しないＣＰＵ、ＲＡＭ、ＲＯＭ等により構成され、ＲＯＭに格納された各種制御プログラムをＲＡＭに読み出して、ＲＡＭの一部を作業領域として、表示制御装置４０の各部を集中制御して、後述する画像表示、画像表示禁止、画像記録縮小表示処理、位置調整処理、輝度調整処理等の各種の処理を実行するものである。
制御部４１は、その機能的構成として、明るさ判別部４１ａと、後退検出部４１ｂと、表示制御部４１ｃとを備えている。
【００１５】
明るさ判別部４１ａは、車両１００のスモールライト（ヘッドライト）（図示略）の点灯により出力されるイルミ信号SIが入力されるものであり、これにより車両１００の周囲の明るさが所定の明るさよりも明るいか否かを判別するものである。イルミ信号SIが入力されると、明るさ判別部４１ａは、車両１００の周囲が所定の明るさよりも暗いと判別し、明るさ判別信号Ｓａを表示制御部４１ｃに出力する。
後退検出部４１ｂは、車両１００のギアがリバース位置（後退位置）に設定された際にリバース信号SRが入力されるもので、リバース信号SRが入力されると車両１００の後退を検出して、後退検出信号Ｓｂを表示制御部４１ｃに出力する。
表示制御部４１ｃは、明るさ判別部４１ａより明るさ判別信号Ｓａおよび後退検出部４１ｂより後退検出信号Ｓｂが入力されると、画像処理部４６における表示を禁止する表示禁止処理を行わせるための表示禁止信号等の各種制御信号を出力する。
記録部４２は、テレビチューナ３１から受信する画像信号、音声信号等、当該表示制御装置４０に接続される上記各種画像信号源、音声信号源から入力する画像信号、音声信号等の各種データを記録するもので、ハードディスク、半導体メモリ等から構成される。この記録部４２は、制御部４１において明るさ判別部４１ａより明るさ判別信号Ｓａおよび後退検出部４１ｂより後退検出信号Ｓｂが出力されると、制御部４１の制御下で上述した表示禁止処理中におけるテレビチューナ３１から受信する画像信号、音声信号等の記録を開始することとなる。
【００１６】
音声信号選択部４３は、制御部４１から入力される音声信号選択信号に従い、所定の音声信号源から出力される音声信号を増幅器で増幅してスピーカ２１出力させたり、後部座席１０２の乗員用の音声出力装置としてのヘッドフォン２２に出力するものである。音声信号選択部４３は、スピーカ２１およびヘッドフォン２２に出力する音声信号をそれぞれ独立して選択することができるように設定されている。
映像信号選択部４４は、制御部４１から入力される映像信号選択信号に従い、所定の画像信号源から出力される画像信号を所定の画像処理部４５または４６に出力し、所定の表示装置１１または１２に所定の画像信号源から出力される画像信号に対応する画像を表示させるようにするものである。映像信号選択部４４は、フロントシート用表示装置１１およびリアシート用表示装置１２に出力する画像信号をそれぞれ独立して選択することができるように設定されている。
画像処理部４５、４６のうち、一方の画像処理部４５はフロントシート用画像処理部４５としてフロントシート用表示装置１１に対応して設けられる。他方の画像処理部４６は、リアシート用画像処理部４６としてリアシート用表示装置１２に対応して設けられる。両画像処理部４５、４６は、表示制御部４１ｃから入力される制御信号に基づき、映像信号選択部４４から入力する画像信号に対して各種の画像処理を施す。
【００１７】
次に実施形態の動作を説明する。
図３は、実施形態の処理フローチャートである。
まず、制御部４１の表示制御部４１ｃは、車両の後退が検出されたか否か、すなわち、後退検出部４１ｂにより後退検出信号Ｓｂが出力されたか否かを判別する（ステップＳ１）。
ステップＳ１の判別において、後退検出信号Ｓｂが出力された場合には（ステップＳ１；Ｙｅｓ）、表示制御部４１ｃは、車両の周囲が暗いか否か、すなわち、明るさ判別部４１ａによりイルミ検出信号Ｓａが出力されたか否かを判別する（ステップＳ２）。
ステップＳ２の判別において、明るさ判別部４１ａによりイルミ検出信号Ｓａが出力された場合には（ステップＳ２；Ｙｅｓ）、リアシート用表示装置１２に表示された映像等が後部座席側のガラスに映り込むのを防止すべく、映像表示を禁止すべく制御を行う（ステップＳ１３）。
【００１８】
次に制御部４１は、映像信号選択部４４により選択していた映像が、テレビチューナ３１から入力されるテレビ映像であるか否かを判別する（ステップＳ４）。
ステップＳ４の判別において、映像信号選択部４４により選択していた映像が、テレビチューナ３１から入力されるテレビ映像ではない場合には（ステップＳ４；Ｎｏ）、処理を終了する。
ステップＳ４の判別において、映像信号選択部４４により選択していた映像が、テレビチューナ３１から入力されるテレビ映像である場合には、制御部４１は、記録部４２を制御し、テレビチューナ３１から入力されるテレビ映像を録画するテレビ番組記録処理を行う（ステップＳ５）。
【００１９】
次に制御部４１は、テレビ番組の同時再生中であるか否かを判別する（ステップＳ６）。
ステップＳ６の判別において、テレビ番組の同時再生中である場合には、同時再生を一時中断し（ステップＳ７）、処理をステップＳ１１に移行する。
ステップＳ６の判別において、テレビ番組の同時再生中ではない場合には、テレビ再生以外のモードに切り替えられたか否かを判別する（ステップＳ１１）。
ステップＳ１１の判別において、動作モードがテレビ再生モード以外のモードに切り替えられた場合には（ステップＳ１１；Ｙｅｓ）、処理を終了する。
ステップＳ１１の判別において、動作モードがテレビ再生モードのままである場合には（ステップＳ１１；Ｎｏ）、装置電源がオフされたか否かを判別する（ステップＳ１２）。
ステップＳ１２の判別において装置電源がオフされた場合には（ステップＳ１２；Ｙｅｓ）、処理を終了する。
【００２０】
ステップＳ１２の判別において装置電源がオンのままである場合には、処理をステップＳ１に再び移行する。
ここで、テレビ番組を記録中であるとし、車両の後退が検出されなくなったものとすると、ステップＳ１の判別において、処理がステップＳ８に移行する。
すなわち、制御部４３は、記録部４２によりテレビ番組を記録中か否かを判別する（ステップＳ８）。
この場合には、記録部４２によりテレビ番組を記録中であるので（ステップＳ８；Ｙｅｓ）、再びリアシート用表示装置１２の映像表示をオンし（ステップＳ９）、記録部４２において、記録済みのテレビ番組の同時再生処理を行う（ステップＳ１０）。
この結果、リアシート用表示装置１２には、ステップＳ３において映像表示をオフした時点からのテレビ映像が表示され、それと並行して現在のテレビ映像が記録部４２により記録され続けることとなる。
【００２１】
ここで、テレビ映像の表示禁止および同時再生処理についてより具体的に説明する。
図４は、実施形態の処理タイミングチャートである。
この場合において、初期状態において装置電源はオン状態にあるものとする。
時刻ｔ１において後退検出信号Ｓａおよび明るさ判別信号Ｓｂが双方ともオン状態となると、すなわち、映り込みを防止すべく、表示の禁止処理を行うべき状態となると、リアシート用表示装置１２に表示された映像等が後部座席側のガラスに映り込むのを防止すべく、映像表示を禁止するととともに、テレビ映像記録処理が開始され、記録部４２には、テレビ映像信号が記録される。
【００２２】
次に時刻ｔ２において、後退検出信号Ｓａがオフ状態（明るさ判別信号Ｓｂはオン状態、オフ状態のいずれであっても）となると、記録部４２は、映像信号の記録と再生とを同時に並行して行う同時再生処理を開始し、記録したテレビ映像信号のうちの先頭部分に相当する記録信号Ａを再生し、リアシート用表示装置１２に表示することとなる。
そして、時刻ｔ３において、再び後退検出信号Ｓａおよび明るさ判別信号Ｓｂが双方ともオン状態となると、同時再生を一旦終了する。
次に時刻ｔ４において、再び後退検出信号Ｓａがオフ状態となると、記録部４２は、映像信号の記録と再生とを同時に並行して行う同時再生処理を開始し、記録信号Ａに続いて記録されている記録信号Ｂを再生し、リアシート用表示装置１２に表示することとなる。
そして、時刻ｔ５において、装置電源がオフにされると、記録部４２における記録を中止するとともに、記録信号Ｂの再生を中止し処理を終了することとなる。
【００２３】
以上の説明のように、本実施形態によれば、車両の後退時にテレビ放送の表示画面の後部ガラスへの映り込みが発生し、ドライバに対して影響が生じる可能性がある場合、すなわち、車両の後退時であって、周囲が所定の明るさよりも暗い場合には、少なくとも後部座席側のテレビ放送の映像表示を禁止し、車両の後退が検出されなくなった時点で、記録したテレビ放送の映像を表示する。
したがって、車両１００の後部座席１０２側のガラスへの画像の映り込みを防いでより後方確認時の視認性を確保することができるとともに、後部座席のユーザもテレビ放送を実効的にとぎれることなく視聴でき、利便性が向上する。
【００２４】
以上説明した実施の形態に本発明は限定されるものではなく、本発明の趣旨を逸脱しない範囲において適宜変更可能であるのは勿論である。
以上の説明においては、リバース信号SRにより車両の後退が検出され、かつ、イルミ信号SIの入力がなされた（周囲が暗いと推定される）場合にのみ、テレビ放送の表示を禁止し、禁止期間中のテレビ放送を記録して、後退終了後に同時再生処理を行う構成としていたが、イルミ信号の入力判別は行わずに、車両の後退が検出された場合に同様の処理を行うように構成することも可能である。
【００２５】
また、以上の実施の形態においては、後退検出部４１ｂは車両１００からリバース信号SRが入力されることにより、車両１００の後退を検出するものとして説明しているが、車両１００の後退の検出はこれに限定されるものではない。例えば、ナビゲーション装置３３における位置情報等に基づいて、車両１００の移動方向の変化を検出し、車両１００の後退を判別するようにしてもよい。
また、明るさ判別部４１ａは、車両１００からイルミ信号SIが入力されることにより、車両１００の周囲の明るさが所定の明るさよりも暗いことを判別するようにしているが、フォトダイオード等を用いて、周囲の明るさを直接的に検出することも可能である。
【図面の簡単な説明】
【００２６】
【図１】実施の形態の表示制御装置を適用した車載映像表示システムの構成例を示す模式図である。
【図２】実施の形態の車載映像表示システムの機能的構成を示すブロック図である。
【図３】実施形態の処理フローチャートである。
【図４】実施形態の処理タイミングチャートである。
【符号の説明】
【００２７】
１  車載映像表示システム
１１、１２  表示装置
４０  表示制御装置
４１  制御部
４１ａ  明るさ判別部
４１ｂ  後退検出部
４１ｃ  表示制御部
４２  記録部
４４  映像信号選択部
４５、４６  画像処理部
【図１】
2007237850.tif 000003
【図２】
2007237850.tif 000004
【図３】
2007237850.tif 000005
【図４】
2007237850.tif 000006